(57)【要約】【課題】  本考案は、かぶり口に伸縮性があっても、着用時に地肌が見えることなく、毛髪が自然に見える頭部被覆衣料を提供することを目的とする。【解決手段】  毛髪が固定された毛髪固定帯を有する頭部被覆衣料であって、第１の端部と第２の端部が、それぞれに固定された毛髪が重ね合うようにして重ね合わせられた１箇所または複数の重ね部を有し、第１の端部の端は、第１の伸縮性部材を介して第２の端部に端からはなれた位置に固定され、第２の端部の端は、第２の伸縮性部材を介して第１の端部に端からはなれた位置に固定され、着用時に重ね部が広げられたときに、第１の帯端部と第２の帯端部の間に毛髪のない隙間が生じないことを特徴とする頭部被覆衣料。【選択図】  図１
0003111122.tif 000002
【実用新案登録請求の範囲】
【請求項１】
毛髪が固定された毛髪固定帯を有する頭部被覆衣料であって、
第１の端部と第２の端部が、それぞれに固定された毛髪が重ね合うようにして重ね合わせられた１箇所または複数箇所の重ね部を有し、
第１の端部の端は、第１の伸縮性部材を介して第２の端部に端からはなれた位置に固定され、
第２の端部の端は、第２の伸縮性部材を介して第１の端部に端からはなれた位置に固定され、
着用時に重ね部が広げられたときに、第１の端部と第２の端部の間に毛髪のない隙間が生じないことを特徴とする頭部被覆衣料。
【請求項２】
前記毛髪固定帯は、内帽子の周囲に設けられており、前記重ね部では、内帽子が２度折り返されてヒダが形成され、使用時に前記重ね部が広げられたときに内帽子のヒダが展開することを特徴とする請求項１記載の頭部被覆衣料。
【請求項３】
前記毛髪固定帯は、帽子の周囲に設けられており、前記重ね部では、帽子に設けられた切り込みにより重ねあわされており、使用時に前記重ね部が広げられたときに前記帽子の切り込みの重ねが、隙間ができずに重ね合わせが生じる範囲で展開することを特徴とする請求項１記載の頭部被覆衣料。
【考案の詳細な説明】
【技術分野】
【０００１】
本考案は、病気や投薬の副作用で、頭髪を失った患者の頭部被覆衣料に関する。
【背景技術】
【０００２】
抗ガン剤の副作用により患者の頭髪が失われる場合があるが、美容上の観点から、帽子やスカーフ等を頭に着用したり、全頭型かつらを着用することで頭部を覆うことが行われている。しかし、帽子等では髪の生え際が不自然に見える不満があり、また、全頭型かつらは、高価であること、容易に洗えないこと、ベッドに横たわった時に邪魔になること等の問題点があった。
【０００３】
そこで、本考案者は、実用新案登録第３０７４０８６号公報（特許文献１）において、毛髪の生え際が自然に見えるように、内帽子の周囲に毛髪を取り付けた頭部被覆衣料を提案している。
【特許文献１】実用新案登録第３０７４０８６号公報
【考案の開示】
【考案が解決しようとする課題】
【０００４】
このような頭部被覆衣料では、頭に密着させるために、かぶり口に伸縮性があることが好まれる。しかし、伸縮性のあるゴム帯に毛髪を固定することは可能ではあるが、作製の作業が難しい問題がある。また、毛髪が固定された伸縮性のない帯をゴムで単純につないだ場合は、かぶったときに毛髪のない隙間ができて地肌が見える問題がある。
【０００５】
本考案は、かぶり口に伸縮性があっても、着用時に地肌が見えることなく、毛髪が自然に見える頭部被覆衣料を提供することを目的とする。
【課題を解決するための手段】
【０００６】
本考案は以下の事項に関する。
【０００７】
１．毛髪が固定された毛髪固定帯を有する頭部被覆衣料であって、第１の端部と第２の端部が、それぞれに固定された毛髪が重ね合うようにして重ね合わせられた１箇所または複数箇所の重ね部を有し、第１の端部の端は、第１の伸縮性部材を介して第２の端部に端からはなれた位置に固定され、第２の端部の端は、第２の伸縮性部材を介して第１の端部に端からはなれた位置に固定され、着用時に重ね部が広げられたときに、第１の端部と第２の端部の間に毛髪のない隙間が生じないことを特徴とする頭部被覆衣料。
【０００８】
２．  前記毛髪固定帯は、内帽子の周囲に設けられており、前記重ね部では、内帽子が２度折り返されてヒダが形成され、使用時に前記重ね部が広げられたときに内帽子のヒダが展開することを特徴とする上記１記載の頭部被覆衣料。
【０００９】
３．  前記毛髪固定帯は、帽子の周囲に設けられており、前記重ね部では、帽子に設けられた切り込みにより重ねあわされており、使用時に前記重ね部が広げられたときに前記帽子の切り込みの重ねが、隙間ができずに重ね合わせが生じる範囲で展開することを特徴とする上記１記載の頭部被覆衣料。
【考案の効果】
【００１０】
本考案によれば、かぶり口に伸縮性があるためにかぶりやすく、脱げにくい着用感が得られ、着用後にゴム帯等の伸縮部材の部分で毛髪ない隙間ができないために、毛髪が極めて自然に見える頭部被覆衣料を提供することができる。
【００１１】
また本考案の１態様によれば、内帽子に切れ目がないために、着用時に外帽子を通して皮膚の色が映らずに自然な外観を与える頭部被覆衣料を提供することができる。
【考案を実施するための最良の形態】
【００１２】
図１は、本考案の１態様の頭部被覆衣料を着用した様子を示す図である。この態様は、内帽子の周囲（外側周囲でも内側周囲でもどちらでもよい）につけ毛４を固定した例である。
【００１３】
本考案において、内帽子とは、外側から見えるかぶり物の下に着用する頭部被覆衣料であり、通常は、つばおよび縁のない帽子である。本考案の１態様では、内帽子に付け毛などを取り付けることにより、外側のかぶり物を取り替えることで簡単に外装を変えることができる。かぶり物は特に限定はないが、帽子、スカーフ、ヘアバンド、バンダナ等が挙げられる。
【００１４】
内帽子の頭全体を覆う生地１は、メッシュや肌触りの良い通気性の良いものが好ましい。あまり強い伸縮性のある生地を使用すると頭頂に引っ張り上がって脱げそうな感覚がある上に、かぶり口に伸縮性のないつけ毛あるいは伸縮性のない毛髪固定帯付きつけ毛を取り付けるので伸縮性はなくてよい。例えば、通気性の良いポリエステルのメッシュの他、ジャージやタオルなど頭皮の見えない素材を使用してもよい。
【００１５】
内帽子は、主に頭頂部に密着できる形状とし、頭囲の一部またはもみあげ部分の２カ所にヒダ２が付けられる程の生地にゆとりを持たせ、ヒダを付けながらゴムベルト３（即ち第１の伸縮性部材）にて、頭囲の長さに合わせて重ね部が構成されている。
【００１６】
図２は、図１のＡ部の拡大図であり、図３はその断面図である。毛髪４は、毛髪固定帯５に固定されており、非負荷状態（ゴムベルトが伸びていない状態）では、重なり部で対になる第１の端部５ａと第２の端部５ｂとが重なりあっている。第１の端部５ａの端は、ゴムベルト３（第１の伸縮性部材）にて引っ張られるように第２の端部に端からはなれた位置に固定され、第２の端部５ｂの端は、ゴムベルト９（第２の伸縮性部材）にて引っ張られるように第１の端部に端からはなれた位置に固定されている。
【００１７】
この重なり部では、内帽子のかぶり口に余裕を持たせてヒダが作られており、２本のゴムにてヒダの相反対側の山（７、８）を引っ張り合うことによって、いつもヒダが一定方向を向いている。さらにかぶり口に沿って付けたつけ毛は、かぶり物の対になる第１の端部と第２の端部の間（ヒダ山とヒダ山の間）で重なるので、頭の大きさによってゴムベルトが伸び、かぶり口が伸びた状態でもかぶり物及びつけ毛に地肌の見える隙間ができない。
【００１８】
また、ゴムベルト３とゴムベルト９の働きにより、ヒダの折れる方向が、いつも同じ方向を向く。即ち、着用のために手で伸ばした後に、手を離しても速やかに同じ方向のヒダに戻るため、ヒダがよじれることがなく装着感が優れる。ゴムベルト９は、内側にできるヒダの山を引っ張るように、好ましくはゴムベルト３より伸縮力の弱めのゴムひもが付けられ、内帽子の出来上がり寸法になるようにかぶり口の内側に縫い止められる。このとき、図２に示すように、ヒダ山８を第２の端部の端から少し離して設けて、はみ出し部６を形成してその端にゴムベルト９を取り付けた方が好ましい。
【００１９】
重ね部は１箇所でも２箇所以上の複数箇所でもよい。もみあげ２カ所にゴムベルトを付ける場合は、例えば毛髪長の異なる前髪用毛髪固定帯と後髪用の毛髪固定帯を使用し、もみあげの２箇所で重なるようにする。もみあげの位置で、ヒダを作りゴムを付けることで前髪と後髪の切り替え部分が重なり合って隙間ができなく、ゴムを伸ばした状態でも前髪と後髪の切れ目の間に隙間ができて地肌が見えることを防ぐことができる。
【００２０】
作製にあたっては、図４（内帽子の内側から見た図）および図６（断面図）に示すように、前髪用毛髪固定帯の末端を上記内帽子の外側右のヒダ山から左のヒダ山までの長さで切り内側に縫いつける。後髪用の毛髪固定帯を内側のヒダ山かそれより少し長めに少しはみ出すように切り、内側に縫い付ける。後髪用の毛髪固定帯の末端に伸縮力の弱めのゴムひもを付け、内側のヒダ山の形を整えるように引っ張られるように、毛髪固定帯に縫い止める。
【００２１】
図５（内帽子の内側から見た図）に示すように、ゴムを伸ばしてもつけ毛の途切れが見えない。
【００２２】
頭囲の一部のみにヒダを付ける場合は、図７に示すように、ゴムベルトは一カ所につけ毛髪固定帯の一方の末端は外側ヒダ山からもう一方の末端は内側のヒダ山まで縫いつける。内側のヒダ山からは、弱めのゴムひもを付ける。
【００２３】
本考案において、内帽子の生地に余裕を持たせて折り返しによってヒダを形成することは必須ではなく、切り込みとしてもよい。しかし、切り込みがある場合には、メッシュのような柔らかい生地の場合に着用時に切り込みから地肌が見える場合がある。このような場合、外側に被ったかぶりものから、地肌が透けて見えたり、他の部分と色合いが異なって不自然に見えたりする場合があるので、好ましくは、上記の説明のように内帽子の生地を折り返してどのような場合でも内帽子から地肌が現れないことが好ましい。
【００２４】
一方、素材が固いものである場合は、折り返しを設けずに切り込みだけとすることが好ましい。上記の説明では、内帽子を例にとって説明したが、本考案の頭部被覆衣料は、帽子等の通常のかぶり物に毛髪固定帯を取り付けたものでもよい。図８は、比較的固い素材でできた、ふちのある帽子の周囲（通常は内側）に毛髪固定帯を取り付けた図である（内側から裏返した図である）。この図のように、帽子に切り込み１１を設けて、重なり部を形成し、第１の端部と第２の端部のそれぞれを他方にゴムベルト３、ゴムベルト９により引っ張るように固定することで、着用時に切り込みが広がっても完全に広がらない範囲で使用すれば毛髪の隙間ができないので、自然な外観と共に頭に対する密着感が得られる。
【００２５】
尚、本考案で、毛髪固定帯は毛髪が帯状に固定されていればよく、上記の説明のように毛髪が固定された帯を内帽子、帽子等に取り付けても良いし、またはつけ毛を直接に内帽子、帽子等に取り付けても良く、その場合はつけ毛が取り付けられている部分を毛髪固定帯というものとする。
【図面の簡単な説明】
【００２６】
【図１】内帽子をかぶった状態で、ヒダとゴムベルトとつけ毛の位置関係を表す。
【図２】図１のＡ部分の拡大図であり、内帽子を斜め下から見たところで、ヒダの位置とゴムの位置関係を示す図である。
【図３】図２に示した重ね部をヒダを真下から見た図である。
【図４】内帽子の内側から見たヒダ山と前髪用毛髪固定帯と後髪用毛髪固定帯と、はみ出し部分の位置関係を示す図である。
【図５】ヒダを伸ばした状態を内側から見た様子を示す図である。
【図６】頭の両脇にヒダをとった例を示す図である。
【図７】頭の一カ所にヒダをとった例を示す図である。
【図８】切れ目を入れたふちのある帽子に毛髪固定帯とゴムベルトを付けた状態を内側から見た様子を示す図である。
【符号の説明】
【００２７】
１  内帽子を形成する生地
２  かぶり口のゆとりを持たせておったヒダ
３  ゴムベルト
４  つけ毛
５  毛髪固定帯
５ａ  第１の端部
５ｂ  第２の端部
６  後髪用毛髪固定帯がヒダ山よりはみ出している部分
７  外側ヒダ山
８  内側ヒダ山
９  ゴムベルト（伸縮力の弱いゴムひも）
１０  縫い止め位置
１１  切り込み
【図１】
0003111122.tif 000003
【図２】
0003111122.tif 000004
【図３】
0003111122.tif 000005
【図４】
0003111122.tif 000006
【図５】
0003111122.tif 000007
【図６】
0003111122.tif 000008
【図７】
0003111122.tif 000009
【図８】
0003111122.tif 000010